(57)【要約】【課題】  防災無線情報を正常に受信できる状態にあるかどうかを事前に確認する。【解決手段】    防災無線情報を受信する情報処理装置において、受信する防災無線情報を確認するために設定される設定情報を記憶手段に記憶しておき、防災無線情報を受信した場合、該受信した防災無線情報と前記設定情報とを照合して、前記防災無線情報を正常に受信しているかどうかを判断する。そして、その判断結果を指定された通知先や表示手段に通知することを特徴とする。【選択図】  図５
2018032924.tif 000002
【特許請求の範囲】
【請求項１】
防災無線情報を受信する情報処理装置であって、
受信する前記防災無線情報を確認するために設定される設定情報を記憶する記憶手段と、
受信した防災無線情報と前記設定情報とを照合して、前記防災無線情報を正常に受信しているかどうかを判断する判断手段と、
前記判断手段が判断した結果を通知する通知手段と、
を備えることを特徴とする情報処理装置。
【請求項２】
前記記憶手段は、受信する前記防災無線情報を確認するために設定される複数の設定情報を記憶することを特徴とする請求項１に記載の情報処理装置。
【請求項３】
前記記憶手段は、受信する前記防災無線情報を確認するために設定される複数の設定情報を優先順位に対応づけて記憶することを特徴とする請求項１に記載の情報処理装置。
【請求項４】
前記判断手段は、受信した防災無線情報と記憶された優先順位の高い設定情報とを照合して、前記防災無線情報を正常に受信しているかどうかを判断することを特徴とする請求項１に記載の情報処理装置。
【請求項５】
前記判断手段が受信した防災無線情報と記憶された優先順位の高い設定情報とを照合して、前記防災無線情報を正常に受信していないと判断した場合、さらに、次に優先順位が高い設定情報と受信した防災情報とを照合して、前記防災無線情報を正常に受信しているかどうかを判断することを特徴とする請求項１に記載の情報処理装置。
【請求項６】
受信した防災無線情報に受信日時を対応づけて前記記憶手段に登録する登録手段と、
前記記憶手段に登録された防災無線情報を前記受信日時に対応づけて解析して、当該防災無線情報を確認するための設定情報を抽出する抽出手段と、を備え、
前記判断手段は、受信した防災無線情報と前記抽出手段が抽出した前記設定情報とを照合して、前記防災無線情報を正常に受信しているかどうかを判断することを特徴とする請求項１に記載の情報処理装置。
【請求項７】
前記通知手段は、前記判断手段が判断した結果を表示手段、または、外部装置に通知することを特徴とする請求項１に記載の情報処理装置。
【請求項８】
前記通知手段は、ネットワークを介して前記判断手段が判断した結果を前記外部装置に通知することを特徴とする請求項７に記載の情報処理装置。
【請求項９】
前記通知手段は、登録された通知先に従いネットワークを介して前記判断手段が判断した結果を前記外部装置に通知することを特徴とする請求項７に記載の情報処理装置。
【請求項１０】
前記登録手段が前記記憶手段に登録した設定情報の優先順位が変更された場合、優先順位が変更された設定情報を削除する削除手段を備えることを特徴とする請求項６に記載の情報処理装置。
【請求項１１】
防災無線情報を受信する情報処理装置の制御方法であって、
受信する前記防災無線情報を確認するために設定される設定情報を記憶手段に登録する登録工程と、
受信した防災無線情報と前記設定情報とを照合して、前記防災無線情報を正常に受信しているかどうかを判断する判断工程と、
前記判断工程が判断した結果を通知する通知工程と、
を備えることを特徴とする情報処理装置の制御方法。
【請求項１２】
請求項１１に記載の情報処理装置の制御方法をコンピュータに実行させることを特徴とするプログラム。
【発明の詳細な説明】
【技術分野】
【０００１】
本発明は、情報処理装置、情報処理装置の制御方法、及びプログラムに関するものである。
【背景技術】
【０００２】
現在、280ＭＨｚデジタル同報無線システムを使用した 防災無線ラジオがある。防災情報を広く通知する為に、280ＭＨｚ電波を使用して、自治体などからの情報を配信サーバを介して、各所に配置された送信機から送信を行い、住民は280ＭＨｚ電波専用のチャンネルを持った無線ラジオを使用してそれらの防災情報を受信するというシステムとなる。上記防災無線ラジオでは、無線電波を受信すると、音声やランプの点滅で送られてきた情報を知らせる事となる。
上記防災無線ラジオに関しては、現在、個人の住宅に設置して使用する事を考慮して、ラジオという形態をとっている。
【０００３】
しかし、現在、多くの人は昼間オフィスで働いている事を考慮して、上記防災無線からの情報をオフィス内の人々に知らせる手段が考えられている。また更に、280ＭＨｚデジタル同報無線システムは、建物の内部にまで電波が届き易いという特徴があり、オフィス等の建物内への防災無線通知手段として注目されている。
280ＭＨｚ電波を使用した防災無線をオフィス内の人々に知らせる手段として、複合印刷機(以降ＭＦＰ)内の情報処理装置を使用することが考えられる。
その理由の一つは、ＭＦＰはオフィス内には必ずと言ってよいほど、設置されているものだからである。
【０００４】
また、二つ目の理由としては、防災無線の受信を音で知らせる手段としてのスピーカーや、光の点滅で知らせる手段としてのＬＥＤ等の発光部、情報を文字として表示して伝える液晶ディスプレイなど各種通知手段をＭＦＰが既に通常動作を行う際のユーザインターフェイスとして持っている為である。
上記通知手段を通常動作として使用する時と、防災無線を通知する時の両方で兼ねる事が可能なる為、別途ラジオという形態で製品を購入するより、導入の際のコストやオフィス内のスペースを削減する事が可能となるからである。
【０００５】
また上記のように、オフィス内のＭＦＰに防災無線の受信機能を持たす事により、音や光、文字の表示等での通知以外でも、防災の為もしくは、実際に災害が起きた時にＭＦＰを役立てる事が可能となる。
【０００６】
また、自然災害はいつ発生するか分からないため、いざという時に正しく動作することが求められる。そのため、正しく防災無線情報を受信できるかどうかを日頃から定期的に確認しておくことが必要である。
【０００７】
特許文献１においては、火災等を検知する複数のセンサと、センサとの間で情報を双方向にやり取りする受信機との間で定期的に無線通信を行い、正しく通信が行われたかどうかを判断し、行われなかった時には障害を検出するという技術が考案されている。
【先行技術文献】
【特許文献】
【０００８】
【特許文献１】特許第5336322号公報
【発明の概要】
【発明が解決しようとする課題】
【０００９】
上述したように自然災害はいつ発生するか分からないため、いざという時に正しく動作することが求められる。そのため、正しく防災無線放送を受信できるかどうかを日頃から定期的に確認しておく必要がある。
【００１０】
なお、防災無線放送は、自治体ごとに設置された送信局から複数の防災無線受ラジオ等の防災無線受信手段に対して同報的に送信されるものであり、且つ送信局に対して受信の可否をフィードバックできないため、送信される無線放送を受信できたかどうかは、各防災無線受信手段側で判断する必要がある。
ここで、防災無線放送を受信できない可能性としては、防災無線受信手段への電源供給がされていない場合や防災無線放送の電波強度が著しく低下した場合等が考えられる。
【００１１】
また、防災無線送信局からの防災無線放送は、予め放送日時が決まっている定期的なものと決まっていない不定期的なものが混在しており、不定期的な防災無線放送については、受信できなかった場合に放送があったかどうかさえ分からないという問題がある。
【００１２】
さらに、防災無線送信局からの防災無線放送は自治体によって送信される内容がまちまちであり、どの自治体に設置された場合においても、定期的な受信確認を行えるようになっている必要がある。
【００１３】
本発明は、上記の課題を解決するためになされたもので、本発明の目的は、防災無線情報を正常に受信できる状態にあるかどうかを事前に確認できる仕組みを提供することである。
【課題を解決するための手段】
【００１４】
上記目的を達成する本発明の情報処理装置は以下に示す構成を備える。
防災無線情報を受信する情報処理装置であって、受信する前記防災無線情報を確認するために設定される設定情報を記憶する記憶手段と、受信した防災無線情報と前記設定情報とを照合して、前記防災無線情報を正常に受信しているかどうかを判断する判断手段と、前記判断手段が判断した結果を通知する通知手段と、を備えることを特徴とする。
【発明の効果】
【００１５】
本発明によれば、防災無線情報を正常に受信できる状態にあるかどうかを事前に確認できる。
【図面の簡単な説明】
【００１６】
【図１】無線放送システムの構成を示す図である。
【図２】情報処理装置の構成を説明するブロック図である。
【図３】図２に示したUI部の内部構成を示す図である。
【図４】図２に示したUI部の内部構成を示す図である。
【図５】情報処理装置の制御方法を説明するフローチャートである。
【図６】UI部に表示されるＵＩ画面を示す図である。
【図７】情報処理装置が管理するデータベースを示す図である。
【図８】防災無線放送の受信データの構成例である。
【図９】情報処理装置の制御方法を説明するフローチャートである。
【図１０】UI部に表示されるＵＩ画面を示す図である。
【図１１】情報処理装置が管理するデータベースを示す図である。
【図１２】情報処理装置の制御方法を説明するフローチャートである。
【図１３】情報処理装置の制御方法を説明するフローチャートである。
【図１４】UI部に表示されるＵＩ画面を示す図である。
【発明を実施するための形態】
【００１７】
次に本発明を実施するための最良の形態について図面を参照して説明する。
＜システム構成の説明＞
〔第１実施形態〕
【００１８】
図１は、本実施形態を示す防災無線放送システムの構成を示す図である。ここで、本実施形態では防災無線放送を受信する受信手段が複合印刷機(以降MFP)に接続された構成を用いて説明する。
【００１９】
図１において、100は情報処理装置であるMFPで、後述する各種のデータ処理を行う。111、112、113は地震計であり全国に千か所程度設置され、地震計からのデータは常に地震計用専用回線120を介して気象庁130に通知されている。本実施形態では説明の簡単のため、3つの地震計が接続されているものとする。
【００２０】
気象庁130は上記地震計からのデータを常に解析し、地震が発生した際には地震計からのデータから震度等の地震情報を瞬時に計算する。計算結果から震度5弱以上であると観測された場合には情報配信サーバ140に対して、地震情報(例えば震央での震度、震央の場所、震度4以上の揺れの恐れのある地点の情報等)を送信する。
【００２１】
情報配信サーバ140は受信した地震情報を、防災無線用専用回線を介して各地の送信局160に対して送信する。送信局160は、受信した地震情報を防災無線170経由でMFP100に対して送信する。防災無線放送は同時通報が可能であるので、受信可能な全てのMFP100に対して地震情報を伝達することが可能となる。
【００２２】
また、送信局160はMFP100が設置された自治体それぞれに存在するものとし、上記のような気象庁からの緊急地震速報等の緊急放送以外にも、自治体行政部180等からの防災情報を送信することが可能である。自治体ごとの防災情報としては、その自治体独自の地域情報や災害情報等が挙げられる。これらの自治体ごとの無線情報についても各MFP100によって受信することが可能となる。
【００２３】
図２は、本実施形態を示す情報処理装置の構成を説明するブロック図である。
図２において、アンテナ201は、送信局160からの無線通信を受信するためのアンテナである。無線受信部202はアンテナ201によって受信された無線通信の電波を、デジタルデータへ変換し受信データとしてコントローラ部203へ出力する。コントローラ部203は、スキャン部204、プリント部205、UI部206、電源制御部207の各部の制御を、内蔵するCPU(不図示)などの制御手段によって制御することが可能である。
【００２４】
スキャン部204は、画像入力デバイスであり、CCD等によって原稿を読み取ったデジタルデータをスキャン画像信号としてコントローラ部203へ出力する。スキャン部204の制御については、コントローラ部203からのスキャナ制御信号により行われる。
【００２５】
プリント部205は画像出力デバイスであり、コントローラ部203から出力されたプリント画像信号を、トナー等を使用して出力用紙にプリントし出力する。プリント部205の制御については、コントローラ部203からのプリンタ制御信号により行われる。UI部206はMFP100の状態や、画像データの表示を行うディスプレイやユーザが本MFP100を使用するにあたって、各種設定を行うボタンやスイッチ、テンキー、及び/または、上記ボタン、スイッチ、テンキー等の入力手段を兼ねたタッチパネル等が含まれているものとする。ユーザがUIから指定を行ってコピー動作等を行おうとする場合においては、UI部206からの設定に基づきコントローラ部203に各種画像処理の設定や、スキャン部204及びプリント部205に対して各種画像処理設定及び動作設定が行われる。
【００２６】
N/W I/F部208はMFP100を外部ネットワークに接続させるためのI/Fであり、外部ネットワークを介して、各種通信データの送受信を行っている。例えば外部ネットワークに接続されたコンピュータ機器からプリント指示を受信してプリント動作を行ったり、スキャン部204で読み取った原稿画像データを外部ネットワーク経由でコンピュータ機器に対して送信するSEND機能を行ったりすることが可能である。その他MFP100内のステータス情報等を外部ネットワーク経由でコンピュータ機器に対して送信することも可能である。
【００２７】
図３は、図２に示したUI部206の内部構成を示す図である。
図３において、表示部301は、液晶パネル等により文字や画像の表示を行う部分となる。キー入力部302は、押しボタン式のスイッチ等を使用し、電源スイッチやモード選択、テンキー等の入力を行う部分である。キー入力部302に関しては、表示部301のタッチパネル(不図示)を使用することで、キー入力部の一部機能を代替することが可能である。スピーカー部303は、キータッチ時やエラー時のビープ音などを発する部分で、小型のスピーカー等が設置されている。発光部304は、電源のON/OFF時の点滅や、ジャムや用紙切れ等の不具合時の店頭を行うために、LED等の発光素子が設置されている。
【００２８】
また、上記LEDとは別に防災無線受信時の通知用に別途赤/黄/緑等のランプがタワー状に一体となっている警告表示灯等を使用する形を取ることも可能である。コントローラI/F305は、コントローラ部203からのUI制御信号の入力を行うインターフェースであり、UI制御部306を介して、表示部301、スピーカー部303、発光部304の制御を行う。また、UI制御部306を介して、キー入力部302やタッチパネルを使用した表示部301からの設定入力をコントローラ部203へ出力する。
【００２９】
図４は、図２に示したコントローラ部203の内部構成を示す図である。
なお、本実施形態においてMFP100では、受信した防災無線情報の内容を解析することによりMFP100各部の動作制御を切り替えるものである。
図４において、スキャン画像データ処理部402はスキャン部204から入力されたスキャン画像データに対して、UI部206から入力された設定内容により、所定の画像処理を行う。画像処理後のスキャン画像データは、MFP制御部401に送信される。スキャン画像データをスキャン部204から読み込むためのスキャナ制御信号は、MFP制御部401との間でやり取りされる。スキャナ制御信号I/F部403は、上記スキャン画像データやスキャン制御信号の受け渡しをスキャン部204とMFP制御部401との間で行う際のI/F部分である。
【００３０】
プリント画像データ処理部404は、MFP制御部401から入力されたプリント画像データに対して、UI部206から入力された設定内容により、所定の画像処理を行う。画像処理後のプリントデータは、プリント部205に送信される。プリント画像データをプリント部205からプリント出力させるためのプリンタ制御信号は、MFP制御部401との間でやり取りされる。プリンタ制御信号I/F部405は、上記プリント画像データやプリンタ制御信号の受け渡しをプリント部205とMFP制御部401との間で行う際のI/F部分である。
【００３１】
UI制御信号I/F部406は、UI部206とMFP制御部401との間で、UI制御信号の受け渡しを行う際のI/F部分である。本実施形態における防災無線受信時のUI制御としては、表示部301に表示する画像データの表示や、スピーカー部303から警告音の鳴動や警告音声の出力及び音量調整や、発光部304における表示の明滅等の制御を行う。UI制御信号I/F部406は、前記制御をUI部206に対して行うために、UI制御信号I/F部406とUI部206との間でUI制御信号をやり取りする。
【００３２】
受信信号入力I/F部407は無線受信部202からの防災無線受信データをコントローラ部203に入力する際のI/F部である。防災情報解析部408は、受信信号入力I/F部407から入力された防災情報データを解析する部分となり、防災情報データの重要度や詳細な内容を認識する。
【００３３】
さらに、防災情報解析部408は、その重要度や防災情報データの内容についての解析情報をMFP制御部401に送信することにより、MFP100で行われるスキャン動作やプリント動作の停止/継続の判断を行う。さらに、防災情報解析部408は、地震等による二次被害を軽減するためMFP100内の各部に供給されている電源を遮断/継続供給等の判断を行う。
【００３４】
また上記制御内容に応じて、MFP制御部401はスキャナ制御信号I/F部403、プリンタ制御信号I/F部405及び電源制御部207に対してそれぞれ制御信号を送信する。また場合に応じてUI部206上の表示手段にステータス/メッセージ等を表示するために、MFP制御部401はUI制御信号I/F部406に対してUI制御信号を送信する。
【００３５】
メモリ410は、上記スキャン画像データ及びプリント画像データを一時的に記憶しておくための記憶手段であり、揮発性及び不揮発性の記憶媒体によって構成されている。なお、上記画像データ以外に制御プログラムや各種ステータス情報、制御用DB等が格納される。
またMFP制御部401内のCPUがプログラム等を実行する際に、ワークメモリとしても使用される。N/W制御信号I/F部409は、N/W I/F部208とMFP制御部401との間で、N/W経由データを送受信するためのI/F部である。
【００３６】
以上の構成によって、地震等の緊急度の高い防災無線情報を受信した際に、プリント動作中であればプリント動作の停止/再開や、MFP100各部への電源供給の停止/再供給などの、MFP100の動作を制御することにより、二次災害の発生を防ぐことが可能となる。
【００３７】
一方、上記のような緊急度の高い防災無線情報はいつ受信するかは誰にも予測できないことである。こうした防災無線情報を受信した際のMFP100の動作制御を常に確実に行うためには、平常時においていつでも防災無線放送を受信できるよう受信確認動作を定期的に行っておくことが重要である。
【００３８】
〔平常時の防災無線の受信確認処理〕
以下に、こうした平常時の防災無線の受信確認を定期的に行うための制御方法について説明する。
なお本実施形態で説明する防災無線放送システムでは、送信局160から一方向的且つ同報的に防災無線放送をMFP100に対して送信する構成であるため、予め放送時間が分かっている防災無線放送のみを受信確認のために使用するものとする。
【００３９】
これは、送信局160から送信される防災無線放送には、予め放送日時が分かっている定期的な放送と、緊急地震速報等に代表される予め放送日時が分かっていない不定期的な放送の両者が含まれているためである。もし、送信局160から不定期的な放送が行われた際にMFP100で防災無線情報を受信できなかった場合、その放送が行われたかどうかはMFP100から送信局160に対して問い合わせを行わない限り判断できない。
【００４０】
しかし、本実施形態で説明する防災無線放送システムでは、MFP100のような各受信手段から問い合わせをする手段が無い。このため、定期的な放送によって受信できた/受信できなかったかを判断する必要がある。
【００４１】
図５は、本実施形態を示す情報処理装置の制御方法を説明するフローチャートである。本例は、MFP100において、防災無線放送を受信することによって受信動作確認を行う際の処理例である。なお、このフローチャートは特に断りが無い限り、コントローラ部203内のMFP制御部401に含まれるCPUで実行されるものとする。また、このフローチャートで示す手順をCPUが実行するためのプログラムはメモリ410内の不揮発性記憶手段に格納されているものとする。なお、本実施形態ではMFP100が設置された自治体において定期的な防災無線が放送されており且つその防災無線の放送スケジュールが予め分かっているものとする。以下、メモリ410に記憶される受信する防災無線情報を確認するために設定される設定情報と、受信した防災無線情報とを照合して、防災無線情報を正常に受信しているかどうかを判断する処理を説明する。
【００４２】
S501では、MFP制御部401は、定期的な放送の受信設定がされたかどうかを判定する。ここで定期的な放送の受信設定とは、定期的な防災無線放送が送信される日時と期間を、及びその防災無線放送に含まれるキーワードを、UI部206の入力手段から設定することである。上記定期的な防災無線放送は予め放送日時が決まっているものとし、本実施形態で説明する自治体では放送日時は毎月1日で4月から9月は17:00から、10月から3月は16:30からであるものとする。また、防災無線放送に含まれるキーワードは「試験放送」であるものとする。
S501において、ユーザがUI部206の入力手段から定期的な放送の受信設定を行うための指示を行ったとMFP制御部401が判定した場合に、S501において上MFP制御部401は、記受信設定情報をUI部206から受け取る。ここで、UI部206にて受信する情報は、受信日時及びその期間とキーワードである。本実施形態では受信日時は毎月1日で且つ4月から9月は17:00±30秒の間に受信し、10月から3月は16:30±30秒の間に受信し、キーワードは上記「試験放送」が設定される。UI部206の入力手段では図６の(a)に示すような表示がされ、所定の入力欄に所望の情報を設定することができるものとする。図６の(a)の600はUI部206に表示された設定手段である。610は受信パラメータ設定画面である。
【００４３】
受信パラメータ設定画面610内には、キーワード入力欄611及び受信日時入力欄612が用意されている。LCDパネル上に設置されたタッチパネル手段や、キー入力部302によって、各種設定が可能となっている。これら手段によって、キーワード入力欄611に対してはキーワードである「試験放送」を入力、受信日時入力欄612に対しては、受信日時及びその期間を設定することができる。
【００４４】
この時、フローチャートはS501からS502に遷移する。S502において、MFP制御部401は上記定期的な放送の受信設定情報をUI部206の設定手段600から受け取り、受け取ったこれらの情報はS503においてメモリ410内に記憶させる。
【００４５】
次にS504において、MFP制御部401は、防災無線放送を受信したかどうかを判定する。具体的には、防災情報解析部408から解析情報がMFP制御部401に入力されたかどうかを判断する。ここで、防災無線放送を受信しなかったとMFP制御部401が判定した場合に、MFP制御部401は、処理をS505に遷移させる。
【００４６】
S505において、MFP制御部401は、現在時刻がS502で設定された受信期間内かどうかを判定する。もし受信期間内であるとMFP制御部401が判定した場合には、受信すべき定期的な防災無線放送を受信できていないことになるため、S506において、MFP制御部401は、設定手段600上に受信エラーを通知する。具体的には、MFP制御部401はUI部206の設定手段600上に定期的な防災無線放送を受信できなかったことを表示するために、UI制御信号I/F部406に対してエラーメッセージを出力するための制御信号を送信する。
【００４７】
この時のUI部206に表示されるエラーメッセージは、図６の(b)のように、エラーメッセージウィンドウ620が該当する受信設定画面上に重畳して表示される。また、UI部206上にエラーメッセージを表示する以外にN/W I/F部208を介して外部ネットワークに対してエラーメッセージを送信するために、MFP制御部401はN/W制御信号I/F部409に対してエラーメッセージを送信する。
【００４８】
これにより、MFP100は、当該MFP100を管理する外部の管理者に対しても定期的な防災無線放送を受信できなかったことを通知することが可能となる。なお、この場合には、MFP制御部401は上記エラーメッセージ以外に、いずれのMFP100が送信したかが分かるような固有識別情報や、受信設定の内容を同時に送信する必要がある。次に、MFP制御部401は処理をS508に遷移させ、定期的な放送用受信結果DBに対して受信できなかったことを登録し、放送用受信結果DBの内容を更新する。
なお、S505において、現在時刻がS502で設定された受信期間内でないとMFP制御部401が判定した場合、MFP制御部401は何も処理することなく、本処理を終了する。
【００４９】
一方、S504において、防災無線情報を受信したとMFP制御部401が判定した場合には、S507において、MFP制御部401は、受信した防災無線情報が定期的な放送であるかどうかを判定する。具体的には、MFP制御部401が受信した防災無線データ内のメッセージ内にS502で設定されたキーワードが含まれているかを確認することで判定する。ここで、防災無線データ内のメッセージは、シフトJISコードでMFP制御部401に入力されるものとする。
【００５０】
例えば、「試」「験」「放」「送」の各文字はシフトJISコードではそれぞれ16進数で「0x8e8e」「0x8cb1」「0x95fa」「0x9197」であるから、防災無線データのメッセージの文字列を先頭から検索処理を行う。この検索処理によって、MFP制御部401が0x8e8e、0x8cb1、0x95fa、0x9197の順に連続でシフトJISコードを検出した場合は、MFP制御部401は、受信した防災無線データ内のメッセージから試験放送に関する防災無線放送であったと判断する。この場合、MFP制御部401は、処理をS508に遷移させる。
S508において、MFP制御部401は、定期的な放送用受信結果DBに対して受信できたことを登録し放送用受信結果DBの内容を更新して、本処理を終了する。
【００５１】
またS507において、受信した防災無線情報が定期的な放送ではなかったと判定された場合にはフローチャートはS509に遷移する。S509において、不定期的な放送用受信結果DBに対して受信できたことを登録しDBを更新する。
なお、S501において、定期的な放送の受信設定がされなかったと判定された場合には、フローチャートはS504に遷移する。
【００５２】
S508において更新される定期的な放送用受信結果DB及び、S509において更新される不定期的な放送用受信結果DBは図７の(b)に示すようなものである。
図７の(a)は、定期的な放送用受信結果DB710の例である。定期的な放送用受信結果DB710は、MFP制御部401により、受信日時701とキーワード702と受信可否703とメッセージ704の4つのデータから構成されており、予め受信設定されたタイミングで定期的に防災無線放送を受信した際に追加・更新される。
【００５３】
メッセージ704は最大308文字までDB内に格納される。定期的な放送用受信結果DB710は新しい受信がある度に図の下方向に追加・更新されるものとする。また定期的な放送用受信結果DB710の受信データの記憶個数は、メモリ410の容量に応じて所定個数まで記憶できるものとし、所定個数まで格納された後に定期的な防災無線放送を受信した場合には最も古いデータを削除してから追加・更新するものとする。
【００５４】
図７の(b)は不定期的な放送用受信結果DB720の例である。不定期的な放送用受信結果DB720は、受信日時701とメッセージ704の2つのデータから構成されており、MFP制御部401は、予め受信設定されたタイミングとは別のタイミングで防災無線放送を受信した際に、受信日時701とメッセージ704を追加・更新する。なお、MFP制御部401は、新しい受信がある度に不定期的な放送用受信結果DB720の受信日時701とメッセージ704を下方向に追加・更新するものとする。
【００５５】
また、不定期的な放送用受信結果DB720の受信データの記憶個数は、メモリ410の容量に応じて所定個数まで記憶できるものとし、所定個数まで格納された後に不定期的な防災無線放送を受信した場合には最も古いデータを削除してから追加・更新するものとする。
【００５６】
なお、図５のフローチャートにおいてS508では定期的な放送用受信結果DB710に、S509では不定期的な放送用受信結果DB720にそれぞれ受信結果を追加・更新するよう説明した。しかしながら、メモリ410内では図７の(c)に示すような防災無線放送受信結果DB730にまとめて追加・更新するような構成になっていても良い。
図７の(c)に示す防災無線放送受信結果DB730では、受信日時701と受信種別705と受信放送の定期/不定期情報706と受信可否703とメッセージ704の5つのデータから構成されており、防災無線放送受信もしくは受信エラー毎に追加更新される。なお、受信種別705は図５のフローチャートにおいてS502で設定された定期的な放送の受信設定におけるキーワードかどうかを示す。
【００５７】
図７の(c)に示した受信放送の定期/不定期情報706では、定期的な防災無線放送受信設定を行ったものかどうかを示す。図５のフローチャートではS508においては「定期」、S509においては「不定期」と格納されることになる。
【００５８】
図６で説明したように、ここでは受信設定1のキーワードである「試験放送」を示す。
なお、本実施形態では説明の簡単のため、定期的な防災無線放送受信設定を1つだけ設定したが、複数の受信設定を行うことも可能であり、受信設定2を設定してあった場合で且つその防災無線放送を受信した場合には、受信種別705にはキーワード2が格納される。
【００５９】
また、受信設定とは別に緊急地震速報等の緊急性の高い防災無線情報を受信する場合があるが、この場合、仮に受信設定を行っていない場合においても受信種別を識別することが可能である。
【００６０】
ここで図８を用いて、防災無線放送の受信データの構成例を説明する。
図８において、801はヘッダであり、データの緊急度等が格納されている。このヘッダ801を用いて緊急地震速報等の緊急度の高い放送を受信したかどうかを判断することができる。802はメッセージであり、上記のように最大308文字まで格納可能である。810はタブデータで、ヘッダ801およびメッセージ802の終了の区切りを表している。
【００６１】
以上のようにして、本実施形態では予め定期的な防災無線放送の受信設定を行っておくことにより、日頃から定期的に防災無線情報が正常受信できるかどうかを確認することが可能となる。
【００６２】
また、定期的な放送受信ができなかった場合には、UI部206上にエラーメッセージを表示したり、ネットワーク上にエラーメッセージを送信したりすることで、ユーザやMFP100の管理者等に対して防災無線放送の受信状態について確認を促すことが可能となる。また、MFP100が設置された自治体に応じた定期的な防災無線放送の受信設定を予め行うことで、自治体によって放送される防災無線の内容が異なる場合でも、どの自治体でも定期的な受信確認を行うことが可能となる。
【００６３】
また、図７で説明したように、防災無線放送を受信した際の受信日時を各受信結果DBに格納する際に、MFP100内での時刻が正しくないと正確に受信確認をすることができない。
このために、N/W I/F部208を介して外部NTP(Network Time Protocol)サーバ等に定期的に接続することでMFP100の時刻を外部の時刻と同期させておくような構成を有していても良い。なお、本実施形態では防災無線放送を受信しこれによって受信確認をする構成としてMFPを挙げたが、これは一例であって、同様の受信確認制御を行える情報処理装置であれば他の構成を備える情報処理装置でも構わない。
【００６４】
〔第２実施形態〕
本実施形態では、第１実施形態で説明した防災無線放送の受信確認における制御方法について、複数の受信設定を設定する場合の制御方法について説明する。なお、本実施形態では複数の受信設定のそれぞれに優先順位を付加し優先順位が最も高い受信設定を用いて受信確認を行うものとする。
【００６５】
図９は、本実施形態を示す情報処理装置の制御方法を説明するフローチャートである。本例は、MFP100において、防災無線放送を受信することによって受信動作確認を行う際の処理例である。なお、このフローチャートは特に断りが無い限り、コントローラ部203内のMFP制御部401に含まれるCPUで実行されるものとする。また、このフローチャートで示す手順をCPUが実行するためのプログラムはメモリ410内の不揮発性記憶手段に格納されているものとする。なお、本実施形態ではMFP100が設置された自治体において定期的な防災無線が放送されており且つその防災無線の放送スケジュールが予め分かっているものとする。
なお、本実施形態で説明するフローチャートは第１実施形態で説明したフローチャートと一部制御内容が同一の部分があるため、その部分については説明を割愛する。
【００６６】
S501では、MFP制御部401が定期的な放送の受信設定がされているかどうかを判定する。ここで、定期的な放送の受信設定がされているとMFP制御部401が判定した場合に、MFP制御部401は、処理をS502に遷移させる。ここで、本実施形態で説明する自治体での定期的な防災無線放送が送信される日時は以下の２つとする。第一の放送日時は第１実施形態で説明したものと同様、毎月1日で4月から9月は17:00から、10月から3月は16:30からであるものとする。
【００６７】
また、防災無線放送に含まれるキーワードは「試験放送」であるものとする。第二の放送日時は毎月7日で13:00からであるものとする。また、防災無線放送に含まれるキーワードは「月のお知らせ」であるものとする。
以上から、第一の放送日時に対する受信設定は、図６の(a)に示すようにUI部206の設定手段600から設定され、第二の放送日時に対する受信設定は、図１0の(a)に示すようにUI部206の第二の受信設定手段1000から設定されたものとする。なお、図１０は、図４に示したＵＩ部２０６に表示されるＵＩ画面を示す図である。
【００６８】
この間に、MFP制御部401は、処理をS901に遷移させる。S901においては、MFP制御部401は、受信設定が複数であるかどうかを判定する。ここで上記に示すように、本実施形態においては2つの受信設定が行われているため、MFP制御部401は、処理をS902に遷移させる。S902において、MFP制御部401は、防災無線放送受信設定の優先順位が変更されたかどうかを判定する。具体的には、MFP制御部401がユーザがUI部206の入力手段から受信設定の優先順位の変更を行うための指示を行ったかどうかに基づいて判定する。
【００６９】
ここで優先順位設定について図１0の(b)を用いて説明する。
図１０の(b)は複数の受信設定がされた場合に、UI部206上に表示される優先順位設定手段である。優先順位設定手段はUI部206に設置されたLCDパネルやその上に設置されたタッチパネル手段によって、各種設定が可能な構成となっている。優先順位設定画面1010内には、既に設定されているキーワードがキーワード表示部1011に表示されている。また、1012は複数のキーワードの内で、優先順位を変更するキーワードを指定するためのキーワード指定手段である。
【００７０】
複数のキーワードの内の一つを指定した場合、指定されたキーワードに対して図１０の(b)に示すようにキーワード指定手段1012にチェックマークが表示され、さらに優先順位変更手段1013及び優先順位変更手段1014が指定可能に表示される。
【００７１】
優先順位変更手段1013は、指定されたキーワードの優先順位を上げるために使用される。同様に、優先順位変更手段1014は、指定されたキーワードの優先順位を下げるために使用される。また、上記優先順位変更手段1013及び優先順位変更手段1014によって優先順位を変更した場合に、キーワード表示部1011に変更に応じた各キーワードの優先順位が更新表示される。
【００７２】
なお、図１０の(b)では図の上側が優先順位の高いキーワードであるとする。以上のようにして、UI部206から各キーワードの優先順位が変更された場合に、MFP制御部401は、処理をS903に遷移させる。
S903においては、MFP制御部401は、上記のようにUI部206から設定された各キーワードの優先順位情報を受け取り、次に、S503において、MFP制御部401は、受信設定情報をメモリ410に記憶する。
【００７３】
本実施形態では、図１０の(b)に示すように、キーワード１である「試験放送」が最も高い優先順位を設定されているものとして、以降の処理を説明する。なお、本実施形態では、現在時刻がS502で設定された受信期間内であるにも関わらず防災無線情報を受信していない場合のみを説明しそれ以外の場合は第１実施形態と同様であるため、重複する部分の説明を割愛し、フローチャートはS904まで遷移する。
【００７４】
ここでは、キーワード１である「試験放送」を有する防災無線放送が受信できなかった場合であるため、S904において、MFP制御部401は、防災無線放送の受信設定優先順位をキーワード２である「月のお知らせ」に変更する。
【００７５】
さらに、MFP制御部401は、変更された各キーワードの優先順位情報をメモリ410に記憶する。次にS905において、MFP制御部401は、受信エラー及び受信設定優先順位変更を通知する。この時、MFP制御部401はUI部206の設定手段600上にキーワード１での定期的な防災無線放送を受信できなかったこと、及びキーワード２で受信確認を行うように切り替えたことを表示するために、MFP制御部401は、UI制御信号I/F部406に対してエラーメッセージを出力するための制御信号を送信する。
【００７６】
この時のUI部206に表示されるエラーメッセージは図１０の(c)のように、エラーメッセージウィンドウ1015が優先順位設定画面1010上に重畳して表示される。また、UI部206上にエラーメッセージを表示する以外に、N/W I/F部208を介して外部ネットワークに対してエラーメッセージを送信するためにMFP制御部401は、N/W制御信号I/F部409に対してエラーメッセージを送信する。これにより、MFP制御部401は、MFP100を管理する外部の管理者に対してもキーワード１を用いた定期的な防災無線放送を受信できなかったこと及びキーワード２を用いた防災無線放送の受信設定に変更したことを通知することが可能となる。
【００７７】
なお、この場合には上記エラーメッセージ以外に、いずれのMFP100が送信したかが分かるような固有識別情報や、受信設定の内容を同時に送信する必要がある。次に、MFP制御部401は、処理をS508に遷移させ、MFP制御部401は、キーワード1を用いた防災無線放送を受信できなかったことを、防災無線放送受信結果DB730に対して追加・更新する。この時の防災無線放送受信結果DB730の状態を図１１に示す。
【００７８】
本実施形態では、キーワード１以外にキーワード２を受信設定に設定しているため、キーワード１だけではなくキーワード２によっても定期的に防災無線情報が受信されていることが表示されている。また、キーワード１による定期的な防災無線放送が受信できなかったことについては、防災無線放送受信結果DB730の最下部に表示されている。
【００７９】
また、S901において、MFP制御部401が防災無線放送の受信設定が複数でないと判定された場合、もしくはS902において、MFP制御部401が受信設定の優先順位を変更しないと判定した場合には、結局メモリ410内に格納された受信設定は変更されないことになる。この場合、MFP制御部401は、処理をS504に遷移させる。以降の制御は第１実施形態と同様であるため説明を割愛する。
【００８０】
以上のようにして、予め定期的な防災無線放送の受信設定を行っておくことにより、日頃から定期的に防災無線情報が正常受信できるかどうかを確認することが可能となる。
【００８１】
また、本実施形態では特に予め複数の定期的な防災無線放送の受信設定を行い、且つ複数の受信設定の内の１つで受信確認を行う構成において定期的な放送受信ができなかった場合には、エラーメッセージを通知しつつ、受信設定を自動的に変更することが可能となる。
これにより、例えば受信設定１に関連する防災無線放送が放送停止になってしまった場合においても、自動的に第２の受信設定で防災無線放送の受信確認を継続的に行うことが可能となる。
【００８２】
なお、本実施形態では複数の防災無線放送の受信設定の内の最も高い優先順位の受信設定で受信確認を行う構成で説明した。これは、自動的に受信設定を変更することで、エラー通知を受け取ったMFP100の管理者等が受信設定を変更しなかった場合において次回の受信タイミングが来た場合においても、不要なエラーメッセージを通知しないようにするためである。
【００８３】
また、本実施形態で説明した優先順位を自動的に下げられた受信設定は、ユーザからの指定でメモリ410内から削除することができるように、受信設定削除手段(不図示)によって削除できるような構成を取っていても良い。
【００８４】
また、本実施形態では複数の受信設定の内の１つの受信設定で受信確認ができなかった場合に受信設定を自動的に変更しつつエラーメッセージを表示及び通知するように説明した。これに対して、複数の内１つの受信設定で受信確認できない場合にはエラー通知レベルを下げて通知するような構成でも良い。
また、複数の受信設定の内、２つ以上もしくは全ての受信設定で受信確認ができない場合にはエラー通知レベルを上げて通知するような構成でも良い。
【００８５】
またエラー通知レベルに応じてエラー通知先を変更するような構成でも良い。例えば、複数の受信設定の内の１つの受信設定で受信確認ができなかった場合にはUI206上の表示部にエラーメッセージを表示し、２つ以上もしくは全ての受信設定で受信確認ができない場合にはN/W I/F部208を介して外部ネットワークに対してエラーメッセージを送信する等の構成でも良い。
【００８６】
〔第３実施形態〕
本実施形態では、防災無線の受信確認を行う際に使用される受信設定を予め設定できない場合に、任意の防災無線を受信することによって受信設定を自動的に取得する例を説明する。また、本例は、MFP100が設置された自治体において定期的な防災無線としてどのようなものが放送されているかが予め明確でない場合に有効な実施形態である。
図１２は、本実施形態を示す情報処理装置の制御方法を説明するフローチャートである。本例は、任意の防災無線を受信することによって受信設定を自動的に取得する処理例である。なお、このフローチャートは特に断りが無い限り、コントローラ部203内のMFP制御部401に含まれるCPUで実行されるものとする。また、このフローチャートで示す手順をCPUが実行するためのプログラムはメモリ410内の不揮発性記憶手段に格納されているものとする。
【００８７】
S1201において、MFP制御部401は、防災無線放送を受信したかどうかを判定する。具体的には、MFP制御部401が防災情報解析部408から解析結果がMFP制御部401に入力されたかどうかに基づいて判断する。ここで、防災無線放送を受信したとMFP制御部401が判定した場合に、MFP制御部401は、処理をS1202に遷移させる。
【００８８】
次に、S1202において、MFP制御部401は、受信した防災無線情報をメモリ410内の防災無線放送受信結果DB1301に記憶させる。なお、防災無線放送受信結果DB1301は図13のように受信日時701及びメッセージ704から構成されている。
【００８９】
次に、S1203において、MFP制御部401は、防災無線放送受信結果DB1301内に所定期間以上の受信結果データが記憶されているかどうかを判定する。ここでこの判定方法について図１３の(a)を用いて説明する。
図１３の(a)は、S1201及びS1202の動作を複数回行った際の防災無線放送受信結果DB1301のデータ構成を示している。ここで防災無線放送受信結果DB1301内に記憶されている最も古い防災無線情報の日時は、2016/3/1 16:30:25である。
【００９０】
また、防災無線放送受信結果DB1301内に記憶されている最も新しい防災無線情報の日時は2016/4/1/ 17:00:12である。よって防災無線放送受信結果DB1301内にはほぼ1カ月分の防災無線情報が記憶されていることになる。ここで、上記所定期間が2カ月であるとすると、図１３の(a)における防災無線情報の受信期間は2カ月より短いと判定できる。このようにしてS1203における判定を行うものとする。
【００９１】
S1203において、所定期間以上の受信結果があると判定された場合、MFP制御部401は、処理をS1204に遷移させる。S1204においては、MFP制御部401は、上記所定期間外の受信結果を削除する。ここでこの処理内容について図１3の(b)及び図１３の(c)を用いて説明する。
【００９２】
図１３の(b)は、2016/5/1/ 17:00:15に防災無線放送を受信した際の防災無線放送受信結果DB1301のデータ構成を示している。ここで、最も古い防災無線情報と最も新しい防災無線情報の日時の差分が2カ月を超過しているため最も古い防災無線情報を削除するよう、MFP制御部401は、メモリ410内の防災無線放送受信結果DB1301を更新する。更新後の防災無線放送受信結果DB1301のデータ構成は、図１３の(c)のようになる。
【００９３】
次にS1205において、MFP制御部401は、受信設定用のキーワードを抽出する。具体的には、MFP制御部401が図１３の(c)のメッセージ704内に記憶されている各文字列データの中で、異なる受信日どうしの文字列データにおいて同じキーワードが存在しているかどうかによって抽出する。
なお、文字抽出方法については特に限定するものではないが、例えば文書検索などに良く用いられるn-gram法を用いて、異なる日時のメッセージデータにおいて少なくとも2回以上出現する文字列で且つ８文字以下のものを抽出するものとする。
【００９４】
次にS1206において、MFP制御部401は、抽出されたキーワードを含む防災無線放送の受信日時を確認する。ここでは、S1205において少なくとも2つ以上の防災無線放送のメッセージが抽出されるため、MFP制御部401は、それらメッセージを受信した日時情報を防災無線放送受信結果DB1301から読み出す。
次にS1207において、MFP制御部401は、抽出されたキーワードを含む各メッセージが定期的に受信されたものかどうかを判定する。具体的には、MFP制御部401が同一のキーワードを有する異なる防災無線放送の受信日が同一であるかどうか及び、受信時間が所定時間以内の誤差で収まっているかどうかを確認し、これにより定期的な受信であると判定する。
【００９５】
次にS1208において、MFP制御部401は、S1207で抽出された受信設定情報をUI部206の設定手段600上に表示する。ここで、抽出された受信設定の例を図１4に示す。
図１４は、図４に示したＵＩ部206に表示されるＵＩ画面を示す図である。
図１４の(a)に示すＵＩ画面は、抽出された受信設定の候補として、キーワード及び受信日時を表示したものである。
図１４の(a)において、1400は受信設定候補表示画面である。1401は抽出されたキーワード候補が表示される。1402は抽出されたキーワードの受信日が表示される。1403は抽出されたキーワードの受信時間が表示されている。
【００９６】
1404はユーザが上記の受信設定候補情報をそのまま受信設定として使用せずに変更したい場合に押下する指定手段であり、これが押下されたとMFP制御部401が判断した場合、図１４の(b)に示すＵＩ画面を表示する。1405はユーザが上記の受信設定候補情報をそのまま受信設定として使用したい場合に押下する受信設定候補を反映するための反映手段であり、反映手段1405が押下されたとMFP制御部401が判断した場合、そのまま受信設定として設定される。
【００９７】
一方、受信設定候補変更のための指定手段1404が押下されたとMFP制御部401が判断した場合、即ちS1209において、受信設定候補を変更するとMFP制御部401が判定した場合には、S1210において、MFP制御部401は、UI部206の設定手段600上に手段図１４の(b)で表される画面を表示する。1410は受信設定変更表示画面である。1411は受信設定種類の表示を指定する指定手段である。
【００９８】
1412は受信設定種類ごとのキーワードである。受信設定種類表示を指定する指定手段1411がタッチパネルを介してユーザにより指定された場合に、キーワード1412の詳細が表示される。例えば受信設定種類を表示する指定手段1411の内、受信設定1の方を指定すると、図１４の(c)に示す画面がUI部206の設定手段600上に表示される。
【００９９】
この表示自体は、第１実施形態で説明した図６の(a)と同様であり、キーワード入力欄611及び受信日時入力欄612に対して所望の設定を行うことができる。
次に受信設定候補の変更を完了した場合には、S1211において、MFP制御部401は、変更された受信設定情報をメモリ410内に記憶させる。また、S1209において受信設定候補を変更せずに反映手段1405を押下したとMFP制御部401が判定した場合には、S1212において、MFP制御部401は、上記の受信設定候補情報がそのまま受信設定情報としてメモリ410内に記憶させる。
【０１００】
本実施形態では、MFP100が設定された自治体における定期的な防災無線放送の放送予定が明確でない場合でも、自動的に受信設定情報を抽出することで容易に受信設定を行うことが可能となる。
また自動的に受信設定情報を抽出した後にユーザによってそれを変更できる構成を提供することで、より実際の防災無線放送に沿った受信設定を行うことが可能となる。
【０１０１】
なお、本実施形態では受信した防災無線情報から受信キーワードを抽出する際に、MFP100内のMFP制御部401内のCPUで行うように説明したが、実際にキーワード抽出を行う際にはCPUの処理にかかる負荷が大きくなると考えられる。またn-gram法を用いた抽出方法に対してインデックスデータを保持しておくために、メモリ410の多くの部分を使用してしまうことが考えられるため、MFP100の動作制御に影響を与える可能性がある。
このため、キーワード抽出を行う場合には上記CPUを使わずに、N/W I/F部208を介した外部の演算リソース、例えばクラウド演算リソース等を使用するような構成でも良い。
【０１０２】
また、本実施形態では抽出されたキーワードを含む受信設定候補情報をUI部206上に表示する構成で説明したが、N/W I/F部208を介して外部のネットワーク上のコンピュータ等に送信をするような構成でも良い。これにより受信設定候補情報を受け取ったMFP100の管理者等が受信設定を変更することが可能となる。
【０１０３】
また、本実施形態ではMFP制御部401によって抽出された防災無線放送の受信設定候補を、後から変更できるような構成を取っているため、変更後の受信設定と自動的に抽出される受信設定候補とは異なっている可能性がある。このため現時点でメモリ410内に格納されている受信設定と抽出された受信設定候補を比較し、キーワード及び受信日時が大きく変わらない場合には、受信キーワード情報をUI部206上に表示しないような構成としても良い。
【０１０４】
例えば、本実施形態で抽出された受信設定候補のキーワードが「お知らせ」であり、現時点でメモリ410内に格納されている上記抽出されたキーワードに対応する受信設定のキーワードが「のお知らせ」であった場合について説明する。
この場合、前者が後者に包含されており、且つ差分が「の」だけであり差分割合が１文字/５文字×100=20%となるため、MFP制御部401は、抽出された受信設定候補を表示しないように制御する。また、例えば受信日時が±15分以上変わっていない場合には、MFP制御部401は、抽出された受信設定候補を表示しないように制御する。
【０１０５】
本発明は、上述の実施形態の１以上の機能を実現するプログラムを、ネットワーク又は記憶媒体を介してシステムまたは装置に供給し、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【０１０６】
２０３  コントローラ部
２０６  ＵＩ部
４０１  ＭＦＰ制御部
【図１】
2018032924.tif 000003
【図２】
2018032924.tif 000004
【図３】
2018032924.tif 000005
【図４】
2018032924.tif 000006
【図５】
2018032924.tif 000007
【図６】
2018032924.tif 000008
【図７】
2018032924.tif 000009
【図８】
2018032924.tif 000010
【図９】
2018032924.tif 000011
【図１０】
2018032924.tif 000012
【図１１】
2018032924.tif 000013
【図１２】
2018032924.tif 000014
【図１３】
2018032924.tif 000015
【図１４】
2018032924.tif 000016